(57)【特許請求の範囲】
【請求項１】
インターホン親機と、インターホン副親機と、１または複数のドアホン子器とを組み合わせて構成したインターホンシステムにおいて、
上記インターホン親機は、上記インターホン副親機からシステムリセット要求信号を受信したときには、再起動するとともに、上記インターホン副親機に対してシステムリセット信号を送出する構成とされ、
上記インターホン副親機は、再起動したときには、上記インターホン親機に対してシステムリセット要求信号を、上記インターホン親機から上記システムリセット信号を受信するまでの間、所定時間間隔で送出し、上記インターホン親機から上記システムリセット信号を受信したときには、再起動することを特徴とするインターホンシステム。
【請求項２】
インターホン親機と、複数のインターホン副親機と、１または複数のドアホン子器とを組み合わせて構成したインターホンシステムにおいて、
上記インターホン副親機は、再起動したときには、上記インターホン親機及び他のインターホン副親機に対して、システムリセット信号を各々異なるタイミングで送出し、
上記インターホン親機及び上記インターホン副親機は、最初に受信したシステムリセット信号に基づいて再起動することを特徴とするインターホンシステム。
【請求項３】
インターホン親機と、複数のインターホン副親機と、１または複数のドアホン子器とを組み合わせて構成したインターホンシステムにおいて、
上記複数のインターホン副親機は、再起動したときには、上記インターホン親機及び他のインターホン副親機に対して、システムリセット要求信号を各々異なるタイミングで送出し、
上記インターホン親機は、最初に受信したシステムリセット要求信号に基づいて再起動するとともに、上記インターホン副親機に対してシステムリセット信号を送出し、
上記インターホン副親機は、上記インターホン親機から上記システムリセット信号を受信したときには、再起動することを特徴とするインターホンシステム。
【請求項４】
請求項１〜請求項３において、
テレビインターホンシステムであることを特徴とするインターホンシステム。
【発明の詳細な説明】
【０００１】
【発明の属する技術分野】
本発明は、２世帯住宅などで広く使用されているインターホンシステムの改良に関する。
【０００２】
【従来の技術】
近時、一般住宅、とりわけ２世帯住宅では、インターホンシステムが広く普及しており、ドアホン子器からの呼出に対して、親機または副親機で応答したり、親機と副親機間、あるいは副親機間で相互に呼出をして通話できるようになっている。
【０００３】
【発明が解決しようとする課題】
ところで、上記した従来のインターホンシステムでは、図８に示すように、ドアホン子器と、副親機２００（＃１，＃２）との間で通話中に、Ａに示す時間に瞬時停電などが発生して、副親機２００（＃１）が再起動して初期状態となったときには、親機１００や他の副親機２００（＃２）では、ドアホン子器と副親機２００（＃１）間の通話状態として動作しているため、システムとしては動作不能状態となってしまい、ドアホン子器と副親機２００（＃１）との通話時間がＢとなりタイムアップして、親機１００が通話解除信号を送出するまでの間は、動作を再開することができなかった。すなわち、ドアホン子器と副親機２００とが通話中に副親機２００のみが再起動すると、通話時間がタイムアップするまでの間、ドアホン子器と副親機２００との間の通話が途切れるだけでなく、一時的にシステムが暴走状態となってしまう問題があった。
【０００４】
本発明は、上記問題を解決するためのなされたものであり、ドアホン子器と副親機とが通話中に副親機のみが再起動して、システムが動作不能状態となっても、すぐに動作を再開することのできるインターホンシステムを提供することを目的としている。
【０００６】
【課題を解決するための手段】
上記目的を達成するために、本発明の請求項１に記載のインターホンシステムでは、インターホン親機は、インターホン副親機からシステムリセット要求信号を受信したときには、再起動するとともに、インターホン副親機に対してシステムリセット信号を送出する構成とされ、インターホン副親機は、再起動したときには、インターホン親機に対してシステムリセット要求信号を、インターホン親機からシステムリセット信号を受信するまでの間、所定時間間隔で送出し、インターホン親機からシステムリセット信号を受信したときには、再起動する。
【０００７】
請求項２に記載のインターホンシステムでは、インターホン副親機は、再起動したときには、インターホン親機及び他のインターホン副親機に対して、システムリセット信号を各々異なるタイミングで送出し、インターホン親機及びインターホン副親機は、最初に受信したシステムリセット信号に基づいて再起動する。請求項３に記載のインターホンシステムでは、複数のインターホン副親機は、再起動したときには、インターホン親機及び他のインターホン副親機に対して、システムリセット要求信号を各々異なるタイミングで送出し、インターホン親機は、最初に受信したシステムリセット要求信号に基づいて再起動するとともに、インターホン副親機に対してシステムリセット信号を送出し、インターホン副親機は、インターホン親機からシステムリセット信号を受信したときには、再起動する。
【０００８】
請求項４に記載のインターホンシステムでは、テレビインターホンシステムである。
【０００９】
【発明の実施の形態】
以下に、本発明の実施の形態について、図面とともに説明する。図１は、本発明のインターホンシステムの要部構成の一例を示す図である。
【００１０】
ここでは、テレビインターホンシステムを示しており、このものは、テレビインターホン親機１と、テレビインターホン副親機２と、複数のカメラ付ドアホン子器３とを組み合わせて構成しており、いずれかの子器３からの呼出に対して、親機１または副親機２で応答して通話したり、親機１と副親機２間で相互に呼出をして通話することができ、また、親機１または副親機２でいずれかの子器３を指定して通話したり、指定した子器３の撮影する映像をモニタリングすることができる。
【００１１】
親機１と副親機２は、図２に示すような内部構成となっており、親機１は、ＣＰＵなどで構成され、以下の各回路を制御するマイコン１０と、複数の子器３との電気的接続を切り換え、いずれかの子器３との通話路を形成する子器切換回路１１と、子器３で撮影された映像を表示する映像表示回路１２と、子器３との間で形成された通話路を介して、子器３との間で通話するための音声入出力回路１３と、後述する各種の信号の変復調を行い、副親機２との間で送受するための信号変復調回路１４とを少なくとも備える。
【００１２】
一方の副親機２は、ＣＰＵなどで構成され、以下の各部を制御するマイコン２０と、子器３で撮影された映像を表示する映像表示回路２１と、子器３との間で形成された通話路を介して、子器３との間で通話するための音声入出力回路２２と、後述する各種の信号の変復調を行い、親機１との間で送受するための信号変復調回路２３とを少なくとも備える。
【００１３】
なお、図２において、Ｔ１〜Ｔ３は、複数の子器３を親機１に接続するための子器接続端子を示しており、Ｔ４〜Ｔ５は、親機１に副親機２を、所定の信号線を介して増設するための増設端子を示している。
【００１４】
このような構成の本発明において、図３に示すように、あるドアホン子器３と副親機２との通話中に、Ａに示す時間に瞬時停電などが発生して、副親機２が再起動して初期状態となったときには、副親機２は親機１に対して、システムリセット信号を送出し、これを受けた親機１が再起動するようになっている。これにより、子器３と副親機２との通話中に、副親機２のみが再起動して初期状態となったときでも、システムの動作をすぐに再開させることができる。
【００１５】
ここで、本発明では、図４に示すような動作をしてもよく、Ａに示す時間に副親機２が再起動して初期状態となったときに、副親機２は、一定時間間隔で、親機１に対してシステムリセット要求信号を、親機１がこれを受けてシステムリセット信号を送出するまで繰り返し送出するようにして、親機１からシステムリセット信号を受信したときに、システムリセット要求信号の送出を停止して、再度再起動するようにしてもよい。こうすれば、親機１が副親機２から送出された１回目のシステムリセット要求信号の受信を失敗したとしても、続けて送出されるシステムリセット要求信号を受信できるので、確実にシステムを初期化することができる。
【００１６】
図５は、本発明のインターホンシステムの要部構成の他例を示す図である。このものは、テレビインターホン親機１と、複数のテレビインターホン副親機（＃１，＃２）と、複数のカメラ付ドアホン子器３とを組み合わせて構成しており、いずれかの子器３からの呼出に対して、親機１または副親機２で応答して通話したり、親機１と副親機２間、または副親機２間で相互に呼出をして通話することができ、また、親機１または副親機２でいずれかの子器３を指定して通話したり、指定した子器３の撮影する映像をモニタリングすることができる。
【００１７】
このような基本動作をなす本発明において、図６に示すように、あるドアホン子器３と副親機２（＃１）との通話中に、Ａに示す時間に瞬時停電などが発生して、双方の副親機２が再起動して初期状態となったときには、副親機２は、親機１及び他の副親機２に対して、各々異なるタイミングでシステムリセット信号を送出し、親機１及び副親機２は、最初に受信したシステムリセット信号に基づいて再起動し、初期状態とするようになっている。なお、図６では、副親機２（＃１）が副親機２（＃２）よりも先にシステムリセット信号を送出する例を示しているが、これに限られず、逆の送出タイミングであってもよい。
【００１８】
また、本発明では、図７に示すような動作をしてもよく、Ａに示す時間に双方の副親機２が再起動して初期状態となったときに、副親機２は、親機１及び他の副親機２に対して、各々異なるタイミングでシステムリセット要求信号を送出し、親機１は、最初に受信したシステムリセット要求信号に基づいて再起動して初期状態とするとともに、副親機２に対してシステムリセット信号を送出してこれらを再起動させるようにしてもよい。なお、図６では、副親機２（＃１）が副親機２（＃２）よりも先にシステムリセット要求信号を送出する例を示しているが、これに限られず、逆の送出タイミングであってもよい。
【００１９】
図６、７に示したシステムでは、副親機２は、各々異なるタイミングで、システムリセット信号あるいはシステムリセット要求信号を送出するので、複数の信号が互いに衝突することがなく、確実にシステムを初期化することができる。
【００２１】
【発明の効果】
以上の説明からも理解できるように、本発明の請求項１に記載のインターホンシステムでは、インターホン副親機は、再起動したときには、インターホン親機に対してシステムリセット要求信号を、インターホン親機からシステムリセット信号を受信するまでの間、所定時間間隔で送出し、インターホン親機からシステムリセット信号を受信したときには、再起動するので、親機が副親機から送出された１回目のシステムリセット要求信号の受信を失敗したとしても、続けて送出されるシステムリセット要求信号を受信できるので、確実にシステムを初期化することができる。
【００２２】
請求項２に記載のインターホンシステムでは、インターホン副親機は、再起動したときには、インターホン親機及び他のインターホン副親機に対して、システムリセット信号を各々異なるタイミングで送出し、インターホン親機及びインターホン副親機は、最初に受信したシステムリセット信号に基づいて再起動するので、複数の信号が互いに衝突することなく、確実にシステムを初期化することができる。
【００２３】
請求項３に記載のインターホンシステムでは、複数のインターホン副親機は、再起動したときには、インターホン親機及び他のインターホン副親機に対して、システムリセット要求信号を各々異なるタイミングで送出し、インターホン親機は、最初に受信したシステムリセット要求信号に基づいて再起動するとともに、インターホン副親機に対してシステムリセット信号を送出し、インターホン副親機は、インターホン親機からシステムリセット信号を受信したときには、再起動するので、複数の信号が互いに衝突することなく、確実にシステムを初期化することができる。
【００２４】
請求項４に記載のインターホンシステムでは、テレビインターホンシステムであるので、上記した請求項１〜３のいずれかの効果を発揮するテレビインターホンシステムを提供することができる。
【図面の簡単な説明】
【図１】本発明のインターホンシステムの要部構成の一例を示す図である。
【図２】親機と副親機とのそれぞれの内部構成の一例を示す図である。
【図３】  図１に示すインターホンシステムの動作の一例について説明するためのシーケンス図である。
【図４】図１に示すインターホンシステムの動作の他例について説明するためのシーケンス図である。
【図５】本発明のインターホンシステムの要部構成の他例を示す図である。
【図６】図５に示すインターホンシステムの動作の一例について説明するためのシーケンス図である。
【図７】図５に示すインターホンシステムの動作の他例について説明するためのシーケンス図である。
【図８】従来のインターホンシステムの問題点について説明するためのシーケンス図である。
【符号の説明】
１・・・インターホン親機（テレビインターホン親機）
２・・・インターホン副親機（テレビインターホン副親機）
３・・・ドアホン子器（カメラ付ドアホン子器）
【図１】
0003669481.tif 000002
【図２】
0003669481.tif 000003
【図３】
0003669481.tif 000004
【図４】
0003669481.tif 000005
【図５】
0003669481.tif 000006
【図６】
0003669481.tif 000007
【図７】
0003669481.tif 000008
【図８】
0003669481.tif 000009